(57)【要約】      （修正有）【課題】ＬＥＤからの光を均一な円形パターンに収束するＬＥＤレンズを提供する。【解決手段】複数の垂直環歯を有するフレネル光学面１３１ａ〜１３１ｅを設けたレンズであり、複数の直列に配置したＬＥＤ１１に対して平坦な面を有するフレネル光学面をそれぞれその光学中心を整合させて直列に配列し、フレネル光学レンズにより、ＬＥＤからの発光をほぼ均一な円形パターンに投射する。フレネルレンズ１３の軽量な特性により、各種照明、携帯機器用として好適である。【選択図】図６
0003164215.tif 000002
【実用新案登録請求の範囲】
【請求項１】
複数の等間隔で直線配列されたＬＥＤ上方を覆うことに使用するフレネルＬＥＤレンズであって、
該ＬＥＤレンズは、像側光学面及び光源側光学面を有し、これら該光源側光学面および該像側光学面が平坦であって、ＬＥＤと等しい数で且つ等間隔に直接配列された複数の対応フレネル光学面を設け、各ＬＥＤ中心及びこれに対するフレネル光学面中心を結ぶ線が形成する中心軸をそれぞれ等間隔且つ平行にし、
フレネル光学面の環面が垂直環歯を有し、直線配列されたＬＥＤが発する光線が該ＬＥＤレンズを経由後の光パターンをほぼ円形に形成するべく該フレネル光学面が以下の条件を満足する：
【数８】
0003164215.tif 000015
ここで、fsが該ＬＥＤレンズの有効焦点距離であり、rnがフレネル光学面の最も末の環の半径であり、d2が中心軸のＬＥＤレンズの厚さであり、Nd2がＬＥＤレンズの屈折率である、
ことを特徴とするフレネルＬＥＤレンズ。
【請求項２】
前記フレネル光学面が更に以下の条件を満足する：
【数９】
0003164215.tif 000016
そのうち、fsがフレネルＬＥＤレンズの有効焦点距離であり、d0がＬＥＤチップの厚さであり、d1が中心軸のパッケージの厚さであり、d2が中心軸のＬＥＤレンズの厚さであり、rnがフレネル光学面Ｓ２の最末環(Last Zone)の半径であり、２φx、２φyは、それぞれフレネルＬＥＤレンズを経由して射出した光線のＸ，Ｙ方向の最高光強度の半分の箇所の角度(deg.)であり、２Lx、２Lyは、ＬＥＤチップのそれぞれＸ，Ｙ方向の長さであり、fgは、フレネルＬＥＤレンズの対応焦点距離であり、R1は、光源側光学面の曲率半径であり、RFは、像側のフレネル光学面の集光曲面の曲率半径であり、Dは、フレネルＬＥＤレンズの単一フレネル光学面の最大半径である、ことを特徴とする請求項１記載のフレネルＬＥＤレンズ。
【請求項３】
前記ＬＥＤレンズは、プラスチック光学材料及びガラス光学材料から選択したものである請求項１記載のフレネルＬＥＤレンズ。
【請求項４】
請求項１乃至３のいずれか１項に記載のフレネルＬＥＤレンズと、回路板と、複数のＬＥＤと、からなるＬＥＤアセンブリであって、
該複数のＬＥＤは、等間隔で該回路板上に直列に配列され、各ＬＥＤの中心及びフレネルＬＥＤレンズの各対応フレネル光学面の中心を結ぶ線が形成する中心軸をそれぞれ平行にし、且つ該ＬＥＤアセンブリにより投射する光線がほぼ円形の光パターンとなるべく、以下の条件を満足する：
【数１０】
0003164215.tif 000017
そのうち、２φx、２φyは、それぞれフレネルＬＥＤレンズを経由して射出した光線のＸ，Ｙ方向の最高光強度の半分の箇所の角度(deg.)であることを特徴とするＬＥＤアセンブリ。
【請求項５】
前記ＬＥＤアセンブリが以下の条件を満足する：
【数１１】
0003164215.tif 000018
そのうち、αiは、第i番目のＬＥＤが発出する光線の光通過量であり、
【数１２】
0003164215.tif 000019
は、n個のＬＥＤが発する光線の光通過量の総和であり、βは、像側の無限遠に相対する箇所（100倍fs）の減衰パラメータを考慮しない光線の光通過量であることを特徴とする請求項４記載のＬＥＤアセンブリ。
【考案の詳細な説明】
【技術分野】
【０００１】
本考案は、フレネルレンズ及びそのＬＥＤアセンブリに関し、特に、複数のフレネル光学面を有し、且つアレイ状に配列されたフレネルＬＥＤレンズを組み合わせて発光光源を形成し、照明、携帯電話のフラッシュ又はデジタルカメラのフラッシュに応用できるフレネルレンズ及びそのＬＥＤアセンブリに関する。
【背景技術】
【０００２】
ＬＥＤ（Light emitting
diode 発光ダイオード）は、低電圧、低電力消耗、寿命が長い等の利点を有し、既に表示装置（indicator）、照明装置（illuminator）等の分野に大量に応用されている。従来の発光源と比較し、ＬＥＤチップが発する光線は、より発散し、小さな範囲の集中照明又は大きな範囲の均一照明において、常に光学レンズを使用する必要がある。ＬＥＤレンズの設計上、一次光学レンズ（primary optical lens）及び二次光学レンズ（secondary
optical lens）に分けることができる。一次光学レンズは、ＬＥＤチップ上にＬＥＤチップ上に直接パッケージした透過レンズであり、一般に光線の収束（concentrate）を主とする。二次光学レンズは、単一又は複数のＬＥＤアレイ（Array）に使用され、ビームの分散又は均一化を主とする。従来の二次光学レンズの設計上、フレネル式レンズは、二次光学レンズの厚さを減少することができ、最も常用される。単一ＬＥＤのフレネル式レンズは、図１，図２に示すように、ＬＥＤ２１が光線を発し、フレネル式光学レンズ２３を経由して、収束されて目標物に投射される。例えば、JP2005257953、台湾Ｍ347533、M347534、US6,726,859である。ＬＥＤアレイのフレネル式光学レンズについては、図３、図４に示すようであって、例えば、US2007/0275344、US2008/0158854、US2002/0025157、 US2007/0034890、EP1091167等がある。
【０００３】
デジタルカメラ、パソコンカメラ、ウェブカメラ、携帯電話等の製品のフラッシュ用として、省電力で軽く、便利であるという課題を達成する為に、ＬＥＤを使用してフラッシュに応用し、且つしばしば単一又は複数のＬＥＤをアレイとして構成し、二次光学レンズを覆い、視射度及び光強度をできる限り均一にする。しかしながら、光強度の分布が形成する光パターンは、均一性が要求され、その形は円形光パターンが照明又はフラッシュ用として最適であり、フレネル式二次光学レンズは、ＬＥＤが発する光線を最高の効率にすることができる。  本考案は、この厳密な要求において、フレネル透過レンズで形成した二次光学レンズを考案し、特定の円形に接近した光パターンを発生するＬＥＤアセンブリを形成して、フラッシュを構成し、照明、携帯電話のフラッシュ又はデジタルカメラのフラッシュに応用するものである。
【先行技術文献】
【特許文献】
【０００４】
【特許文献１】特開２００７−５９４９２号公報
【特許文献２】特開２００５−４９３６７号公報
【考案の概要】
【考案が解決しようとする課題】
【０００５】
本考案の目的は、フレネルＬＥＤレンズ及びそのＬＥＤアセンブリを提供することであり、該ＬＥＤアセンブリは、直接等間隔で配列され、光線を発する複数のＬＥＤと、該複数のＬＥＤに組み合わせて取り付けるために用いる回路板と、光線を収集し、光強度を均一にし、円形に近い光パターンを形成するフレネルＬＥＤレンズと、から構成され、そのうち、該フレネルＬＥＤレンズは、光学材料で形成するレンズであり、光源側光学面及び物体側光学面を有し、且つ上記２つの光学面は何れも平坦であり、また、物体側光学面上にＬＥＤと同一数量のフレネル光学面を設け、各ＬＥＤの中心及び対応するフレネル光学面中心の接続線が形成する中心軸は、相互に平行であり、また、該フレネル光学面の集光曲面が非球面であり、その環面は、垂直環歯（draft with vertical shape）であり、且つ環の深さが同一（equal
zone height）であり、以下の条件を満足する：
【０００６】
【数１】
0003164215.tif 000003
そのうち、fsはフレネルＬＥＤレンズの有効焦点距離(effective focal length) であり、d0はＬＥＤチップの厚さであり、d1は中心軸のパッケージの厚さであり、d2は中心軸のＬＥＤレンズの厚さであり、rnはフレネル光学面Ｓ２の最末環(Last Zone)の半径であり、２φx、２φyは、それぞれフレネルＬＥＤレンズを経由して射出した光線のＸ，Ｙ方向の最高光強度の半分の箇所の角度(deg.)であり、２Lx、２Lyは、ＬＥＤチップのそれぞれＸ，Ｙ方向の長さであり、fgは、フレネルＬＥＤレンズの対応焦点距離 (relative focal
length)であり、R1は、光源側光学面の曲率半径であり、RFは、像側のフレネル光学面の集光曲面の曲率半径(radius
of fresnel convex surface)であり、Dは、フレネルＬＥＤレンズの単一フレネル光学面の最大半径である。
【０００７】
使用上に便利である為、本考案のフレネルレンズは、光学ガラス又は光学プラスチックから形成することができる。
【０００８】
本考案のもう１つの目的は、少なくとも２つのＬＥＤから構成され、各ＬＥＤが等間隔で回路板上に直列に配列され、各ＬＥＤの中心及びフレネルＬＥＤレンズの各対応フレネル光学面の中心の接続線が形成する中心軸が、相互に平行であるＬＥＤアセンブリを提供することであり、且つ該ＬＥＤアセンブリは、円形に近い光パターンを有し、該光パターンの切断面の短軸長さ及び長軸長さの比値が０．８より大きく、又は長軸長さ及び短軸長さの比値が１．２５より小さく、以下の条件を満足する：
【０００９】
【数２】
0003164215.tif 000004
そのうち、２φxは、フレネルＬＥＤレンズを経由して射出した光線のＸ方向の最高光強度の半分の箇所の角度(deg.)であり、２φyは、フレネルＬＥＤレンズを経由して射出した光線のＹ方向の最高光強度の半分の箇所の角度(deg.)であり、κがφy及びφxの比値である。
【００１０】
本考案のもう１つの目的は、発光ダイオードアセンブリを提供することであり、それは、本考案が記載するフレネルＬＥＤレンズを具え、円形に近い光パターンを有し、且つその光通過量の比値ηが60%より大きいという要求：
【００１１】
【数３】
0003164215.tif 000005
を満足し、そのうち、αiは、第i番目のＬＥＤが発出する光線の光通過量であり、
【００１２】
【数４】
0003164215.tif 000006
は、n個のＬＥＤが発する光線の光通過量の総和であり、βは、像側の無限遠に相対する箇所（100倍fs）の減衰パラメータを考慮しない光線の光通過量である。
【課題を解決するための手段】
【００１３】
本考案のフレネルＬＥＤレンズは、複数の等間隔で直線配列はれたＬＥＤ上方を覆うことに使用するフレネルＬＥＤレンズであって、
該ＬＥＤレンズは、像側光学面及び光源側光学面を有し、そのうち、該光源側光学面が平坦であり、該像側光学面が平坦であり、且つＬＥＤと等数量で且つ等間隔で直接配列された複数の対応フレネル光学面を設け、各ＬＥＤ中心及び対応するフレネル光学面中心の接続線が形成する中心軸を相互に等間隔且つ平行にし、
そのうち、フレネル光学面の環面が垂直環歯を有し、直線配列されたＬＥＤが発する光線に該ＬＥＤレンズを経由させた後に円形に近い光パターンを形成可能にし、且つ該フレネル光学面が以下の条件を満足する：
【００１４】
【数５】
0003164215.tif 000007
そのうち、fsが該ＬＥＤレンズの有効焦点距離であり、rnがフレネル光学面の最も末の環の半径であり、d2が中心軸のＬＥＤレンズの厚さであり、Nd2がＬＥＤレンズの屈折率であることを特徴とする。
【考案の効果】
【００１５】
本考案のフレネルＬＥＤレンズ及びそのＬＥＤアセンブリは、円形に近い光パターンを発生することができ、且つ光通過量の比値が６０％より大きいという要求に適合し、該ＬＥＤアセンブリは、厚さが薄いという特性を有し、照明又は携帯電話、デジタルカメラのフラッシュに使用を提供することができる。
【図面の簡単な説明】
【００１６】
【図１】従来のフレネルレンズを使用したＬＥＤアセンブリ（１つのＬＥＤを備える）の図である。
【図２】従来の他のフレネルレンズを使用したＬＥＤアセンブリ（１つのＬＥＤを備える）の図である。
【図３】従来のフレネルレンズを使用したＬＥＤアセンブリ（アレイＬＥＤを備える）の図である。
【図４】従来の他のフレネルレンズを使用したＬＥＤアセンブリ（アレイＬＥＤを備える）の図である。
【図５】本考案のＬＥＤアセンブリの実施例1の構造側面断面図である。
【図６】本考案のフレネルＬＥＤレンズ及びアセンブリの使用符号説明図である。
【図７】本考案のフレネルＬＥＤレンズの実施例１の立体図である。
【図８】図７のＬＥＤレンズの平坦図である。
【図９】図８のＬＥＤレンズの断面（断面線９−９）図である。
【図１０】本考案のＬＥＤアセンブリの実施例２の構造側面断面図である。
【図１１】図１０中のＬＥＤレンズの平坦図である。
【図１２】図１１のＬＥＤレンズの断面（断面線１２−１２）図である。
【図１３】本考案の実施例１のＬＥＤの光強度分布及び視射角の極座標関係図である（そのうち、Ａは、Ｘ方向、Ｂは、Ｙ方向を示す）。
【図１４】本考案の第１実施例のＬＥＤアセンブリの光強度分布及び視射角の極座標関係図である。
【図１５】本考案の第２実施例のＬＥＤの光強度分布及び視射角の極座標関係図である。
【図１６】本考案の第２実施例のＬＥＤアセンブリの光強度分布及び視射角の極座標関係図である。
【考案を実施するための形態】
【００１７】
図５を参照する。本考案のＬＥＤアセンブリ１０は、等間隔で直線に配列される複数のＬＥＤ１１と、回路板１２と、フレネルＬＥＤレンズ１３と、を具える。そのうち、フレネルＬＥＤレンズ１３は、光源側光学面１３０及び物体側光学面１３１を有し、物体側光学面１３１上にＬＥＤ１１と同一数のフレネル光学面１３１ａ〜１３１ｅを設ける。回路板１２には、更に導電片１２１を設け、電流を各ＬＥＤ１１に導通して発光させる。ＬＥＤ１１は、更にＬＥＤチップ１１１及びシールゲル１１２からなり、光線がＬＥＤチップ１１１から発して、シールゲル１１２を経由した後、空気層を経過し、光源側光学面１３０に進入し、フレネル光学面１３１ａ〜１３１ｅにより光線を収束して、円形に近い光パターンのビームを形成する。
【００１８】
図６を参照する。ＬＥＤ１１中心及び対応するフレネル光学面１３１ｂの中心を結ぶ線が形成する中心軸がＺｂであり、シールゲル１１２の厚さがｄ０であり、空気層の厚さがｄ１であり、光源側光学面１３０からフレネル光学面１３１ｂまでの厚さがｄ２である。フレネル光学面１３１ｂは、垂直環歯（draft with vertical shape）１３４を有し、且つ環の深さが同一（equal
zone height）なフレネル光学面である。第１番目の環歯の半径がr1（直径が２ r1である）であり、最も末の環歯の半径がrnであり、環歯の高さがhdであり、各環歯の間隔がrtであり、式(1)及び式(2)の条件を満足する。
【００１９】
該シール１１２は、材料に格別の制約はなく、ＬＥＤ１１上に光学樹脂（resin）又はシリコンゲル（silicon gel）等の異なる材料を使用できる。フレネルＬＥＤレンズ１３は、光学ガラス又は光学プラスチック材料から形成することができる。
【００２０】
図７〜図９を参照する。フレネルＬＥＤレンズ１３は、凹溝１３２及び嵌合溝１３３を設け、凹溝１３２は、回路板１２を収容して定位させることに用い、回路板１２上の複数のＬＥＤ１１は、フレネルレンズ１３上の同一数のフレネル光学面（１３１ａ〜１３１ｅ）とそれぞれ中心が整合させられる。嵌合溝１３３は、デジタルカメラ又はその他の装置と組み合わせることに用いる。
【００２１】
ＬＥＤチップ１１１は、光線を発し、フレネルＬＥＤレンズ１３のフレネル光学面１３１ａ〜１３１ｅを経て、収集、屈折後、２Ψの角度（Ｘ方向２φx、及びＹ方向２φy)で必要な円形に近い光パターンを形成し、β/α≧85％の要求を満足し、そのうち、αがＬＥＤチップの発する光線の光通過量であり、βが像側の無限遠方に相対する箇所（100倍fs）の光線の光通過量であり、且つ空気の屈折 (refraction)及び散乱(scattering)等の効果を考慮しない。
【００２２】
フレネル光学面の集光曲面は、非球面光学面で構成される場合、その非球面の方程式（Aspherical Surface Formula）が式(9)であり、
【００２３】
【数６】
0003164215.tif 000008
そのうち、Ｃが曲率であり、hがレンズの高さであり、Kが円錐係数（Conic Constant）であり、A4、A6、A8、A10がそれぞれ、４，６，８，１０階の比球面係数（Nth Order Aspherical Coefficient）である。
【００２４】
フレネル光学面１３１ａ〜１３１ｅの集光曲面の曲率半径（RF）も、式(9)で定義され、放物面の集光曲面の曲率半径（RF）の円錐係数K=-1であり、球面の集光曲面の曲率半径（RF）の円錐係数K=0である。
【００２５】
本考案の以下に開示する好適実施例は、本考案の実際の主要な構成部材に対して説明を行うものであり、フレネル光学面１３１ａ〜１３１ｆは、垂直環歯の環の深さが同一の環歯を選択して説明する。該シールゲル１２は、屈折率Nd1が1.41の透明光学シリコンゲルである。但し、一般のＬＥＤアセンブリについて言えば、本考案が開示するフレネルＬＥＤレンズ以外のその他の構造は、一般的な公知技術に属し、該ＬＥＤアセンブリの各構成部材の寸法、使用材料、ＬＥＤ波長及び発射角度、フレネル光学面の型式、環の間隔及び環の深さ等は、変更、修正、同等効果をなすものへ変更することができるものである。
【００２６】
実施例１
図５、図７〜図９、図１３、図１４を参照する。下記表１中にそれぞれ光源側から像側まで中心軸Ｚに沿ったＬＥＤチップ１１１のシールゲル１１２の半径Ｒ、フレネル光学面（１３１ａ〜１３１ｅ）中心軸の集光曲面の曲率半径RF (mm)、厚さ間隔di(mm)(the on-axis surface
spacing)、各屈折率（Nd）、フレネル光学面の有効焦点距離fs等を列記する。そのうち、マーク*で示すものは、非球面のフレネル光学面である。
【００２７】
【表１】
0003164215.tif 000009
【００２８】
下記表２は、フレネル光学面の半径RPの非球面の式(9)の各項の係数、中心に沿って起算した第１フレネル環半径r1、最も末の半徑rn、フレネル環の深さ(zone height)hd及びフレネル環の数(No.of
zone)を示すものである：
【００２９】
【表２】
0003164215.tif 000010
【００３０】
本実施例中、フレネルＬＥＤレンズ１３は、Nd2が1.587のプラスチック素材により形成され、物体側光学面１３１に５つのフレネル光学面（１３１ａ〜１３１ｅ）を設け、５つのＬＥＤ１１は、1.12x1.12mmの寸法を採用し、Ｘ方向の発射角ωx  ＝31.5°、Ｙ方向の発射角ωy  ＝31.5°、α=6.9ルーメン(lm)であり，ＬＥＤ１１の光強度分布及び視射角の極座標の関係が図１３に示すようである。５つのＬＥＤ１１は、直線配列方式で回路板１２上に設けられ、２つの相互に隣接するＬＥＤ１１の中心間距離がL=3.0(mm)であり、即ち、２つの相互に隣接するフレネル光学面(１３１ａ〜１３１ｅ)の中心間距離がL=3.0(mm)である。
回路板１２は、フレネルＬＥＤレンズ１３の凹溝１３２内に固定され、各ＬＥＤ１１の中心及びフレネル光学面 (１３１ａ〜１３１ｅ)の中心の接続が形成する中心軸（Zb）を相互に平行にし、即ち、５つの中心軸（Zb）を相互に平行にする。回路板１２は、２つの導電片１２１によって、外界の電源極性と接続する。電流を流した後、導電片１２１及び回路板１２により、５つのＬＥＤ１１に光線を発出させ、フレネルＬＥＤレンズ１３のフレネル光学面(１３１ａ〜１３１ｅ)を経由して収束後、最大照度の1/2の箇所においてＸ方向40.5°、Ｙ方向35°が円形に接近する接近する視射角であり、κ値が0.8より大きい。
本実施例のＬＥＤアセンブリ１０の光強度分布及び視射角の極座標関係は、図１４に示すようである。無限遠方箇所の(100倍fsで計算)のβ=32.5ルーメン (空気の屈折及び散乱等の効果を無視する)。式(1)、(2)、(3)及び(7)は、それぞれ以下のとおりである：
【００３１】
【数７】
0003164215.tif 000011
条件式(1)、(2)、(3)、(7)及び(8)を満足する。
【００３２】
実施例２
図１０〜図１２及び図１５、図１６を参照する。下記の表３、表４中の符号は、それぞれ表１、表２と同一である。
【００３３】
【表３】
0003164215.tif 000012
【００３４】
【表４】
0003164215.tif 000013
【００３５】
本実施例中、フレネルＬＥＤレンズ１３は、Nd2が1.8であるガラス材質で形成され、物体側光学面１３１に６個のフレネル光学面
(１３１ａ〜１３１ｆ)を設置し、６個のＬＥＤ１１は、1.85x0.77mmの寸法，ωx＝38.25°、ωy＝29.25°、α=78.5ルーメン(lm)を採用し、ＬＥＤ１１の光強度分布及び視射角の極座標関係は、図１５の通りである。６個のＬＥＤ１１は、直線配列方式で回路板１２上に設置され、２つの相互に隣接するＬＥＤ１１は、中心間距離がL=4.0(mm)、即ち、２つの相互に隣接するフレネル光学面(１３１ａ〜１３１ｆ)の中心間距離L=4.0(mm)である。６個のＬＥＤ１１は、光線を発し、フレネル光学面(１３１ａ〜１３１ｆ)を経由して収束後、最大照度の1/2箇所のＸ方向63°、Ｙ方向54°で円形に近い視射角であり、κ値が0.8より大きい。本実施例のＬＥＤアセンブリ１０の光強度分布及び視射角の極座標関係は図１６に示すようである。無限遠方箇所(100倍fsで計算)のβ=326.8ルーメンである(空気の屈折及び散乱等の効果を無視する)。式(1)、(2)、(3)、(7)及び式 (8)は、それぞれ以下の通りである：
【００３６】
【表５】
0003164215.tif 000014
式(1)、(2)、(3)、(7)及び(8)を満足する。
【００３７】
上記の各実施例のように、本考案は、フレネルＬＥＤレンズ１３を利用し構成するＬＥＤアセンブリ１０が高効率且つ所定の円形に近い光パターンを発生することができ、その各角度の光強度が均一であり、本考案の応用性を向上でき、照明又はデジタルカメラのフラッシュ等に応用することができる。
【符号の説明】
【００３８】
１０  ＬＥＤアセンブリ
１１  ＬＥＤ
１１１  ＬＥＤチップ（die）
１１２  シールゲル（ＬＥＤ seal gel）
１３  フレネルＬＥＤレンズ
１３０  光源側（source-side）光学面
１３１  物体側（foeward-side）光学面（optical surface）
１３１ａ〜１３１ｆ  フレネル光学面
１３２  凹溝（flange）
１３３  嵌合溝（Wedge）
１２  回路板（ＰＣＢ）
１２１  導電片（Electric pad）
１４  垂直環歯（draft with vertical shape）
【図１】
0003164215.tif 000020
【図２】
0003164215.tif 000021
【図３】
0003164215.tif 000022
【図４】
0003164215.tif 000023
【図５】
0003164215.tif 000024
【図６】
0003164215.tif 000025
【図７】
0003164215.tif 000026
【図８】
0003164215.tif 000027
【図９】
0003164215.tif 000028
【図１０】
0003164215.tif 000029
【図１１】
0003164215.tif 000030
【図１２】
0003164215.tif 000031
【図１３】
0003164215.tif 000032
【図１４】
0003164215.tif 000033
【図１５】
0003164215.tif 000034
【図１６】
0003164215.tif 000035